(57)【要約】 本発明は、第１のオブジェクトの三次元表現を受信して、第２のオブジェクトを指定する制御手段を与えて、第２のオブジェクトと共に第１のオブジェクトの三次元表現を表示するグラフィカルユーザインタフェースを提供する。第１のオブジェクトは人の手であることができ、および、第２のオブジェクトは仕様から作られる宝飾品指輪であることができる。  【選択図】  図１
2010506329.tif 000002
【特許請求の範囲】
【請求項１】
計算機可読の媒体に格納される一組のコンピュータ実行可能命令であって、前記命令が、以下のステップ、すなわち、
ｌ．第１のオブジェクトの三次元表現を受信するステップ、
ＩＩ．作成されるべき一個の宝飾品の特性を特定する選択を可能にするように適応される一組の制御手段を供給するステップ、
ＩＩＩ．前記一組の制御手段を通して前記選択を識別するイベントの指示を受信するステップ、
ＩＶ．前記一個の宝飾品と組み合わせられた前記第１のオブジェクトの三次元表現を生成するステップであって、前記生成された三次元表現が、前記第１のオブジェクトの一部の写真表現を含む、メッシュ要素を備えた幾何学的メッシュ表現を含むステップ、および
Ｖ．前記一個の宝飾品と組み合わせられた前記第１のオブジェクトの前記三次元表現の表示を出力するステップ、を含む方法を実施するように適応される、命令。
【請求項２】
請求項１の一組の命令であって、前記一個の宝飾品と組み合わせられた前記第１のオブジェクトの三次元表現の前記生成が前記第１のオブジェクトおよび一個の宝飾品の幾何学形状を保つ、ことを特徴とする命令。
【請求項３】
請求項１および請求項２のうちいずれか一つの一組の命令であって、前記方法が、前記制御手段によってなされる選択を識別する所定のイベントの後で、前記生成された三次元表現をアップデートするステップを含む、ことを特徴とする命令。
【請求項４】
請求項１ないし３のうちいずれか一つの一組の命令であって、前記写真表現が少なくとも３色を使用して表示される、ことを特徴とする命令。
【請求項５】
請求項１ないし４のうちいずれか一つの一組の命令であって、前記選択が前記一個の宝飾品の所定の構成要素を選択することによって特性を特定する、ことを特徴とする命令。
【請求項６】
請求項１ないし５のうちいずれか一つの一組の命令であって、前記選択が前記一個の宝飾品の材料を特定する、ことを特徴とする命令。
【請求項７】
請求項１ないし６のうちいずれか一つの一組の命令であって、前記選択が前記一個の宝飾品の寸法を特定する、ことを特徴とする命令。
【請求項８】
請求項７の一組の命令であって、前記制御手段が、ユーザが前記一個の宝飾品の前記寸法を調整することができるように適応される、ことを特徴とする命令。
【請求項９】
請求項１ないし８のうちいずれか一つの一組の命令であって、前記一個の宝飾品と組み合わせられた前記第１のオブジェクトの前記生成された三次元表現が、前記第１のオブジェクトと一個の宝飾品との間の所定の相互関係の表現を含む、ことを特徴とする命令。
【請求項１０】
請求項９の一組の命令であって、前記一個の宝飾品が、指輪である、ことを特徴とする命令。
【請求項１１】
請求項１０の一組の命令であって、前記第１のオブジェクトが、手である、ことを特徴とする命令。
【請求項１２】
請求項１１の一組の命令であって、前記所定の相互関係の前記表現が、前記手の指の上へ取り付けられて示される前記指輪である、ことを特徴とする命令。
【請求項１３】
請求項１２の一組の命令であって、指輪と組み合わせられた手の前記三次元表現が、所定の直径の指輪を示す、ことを特徴とする命令。
【請求項１４】
請求項１２または請求項１３の一組の命令であって、前記方法が、前記指の上の前記指輪の位置の調整を可能にするように適応される制御手段を与えるステップを含む、ことを特徴とする命令。
【請求項１５】
請求項１２ないし１４のうちいずれか一つの一組の命令であって、指輪と共に前記手の前記三次元表現が、所定の帯幅の指輪を示す、ことを特徴とする命令。
【請求項１６】
請求項１５の一組の命令であって、前記方法が、それが生成された三次元表現上に見えるように、帯の幅の調整を可能にするように適応されるユーザ制御手段を提供するステップを含む、ことを特徴とする命令。
【請求項１７】
請求項１ないし１６のうちいずれか一つの一組の命令であって、前記一個の宝飾品と組み合わせられた前記第１のオブジェクトの前記生成された三次元表現が、所定の視点から表示される、ことを特徴とする命令。
【請求項１８】
請求項１７の一組の命令であって、前記方法が、前記所定の視点が再方向付けされることができるように適応される制御手段を与えるステップを含む、ことを特徴とする命令。
【請求項１９】
請求項１８の一組の命令であって、指輪と共に前記手の前記生成された三次元表現が、所定の程度のズームによって表示される、ことを特徴とする命令。
【請求項２０】
請求項１９の一組の命令であって、前記方法が、前記所定の程度のズームが調整されることができるように適応される制御手段を与えるステップを含む、ことを特徴とする命令。
【請求項２１】
請求項２０の一組の命令であって、前記方法が、所定の視点およびズームの程度で、前記指輪と共に手の前記生成された三次元表現の二次元表示を収集して格納するステップを含む、ことを特徴とする命令。
【請求項２２】
請求項１０ないし２１のうちいずれか一つの一組の命令であって、前記三次元表現を生成するステップが、宝飾品指輪構成要素の格納された三次元表現を取り出すステップを含む、ことを特徴とする命令。
【請求項２３】
請求項１１ないし２２のうちいずれか一つの一組の命令であって、前記指輪と組み合わせられた前記手の前記生成された三次元表現が、前記指輪帯に割り当てられる少なくとも一つの色を含む、ことを特徴とする命令。
【請求項２４】
請求項２３の一組の命令であって、前記方法が、前記指輪に割り当てられる少なくとも一つの色の選択を可能にするように適応されるユーザ制御手段を提供するステップを含む、ことを特徴とする命令。
【請求項２５】
請求項２４の一組の命令であって、前記制御手段が、少なくとも一つの金属のテキスト記述を含む少なくとも一つの色の選択を可能にするように適応される、ことを特徴とする命令。
【請求項２６】
請求項２５の一組の命令であって、前記指輪に割り当てられる少なくとも一つの色が、前記制御手段によって表される少なくとも一つの金属に対応する、ことを特徴とする命令。
【請求項２７】
請求項１１ないし２６のうちいずれか一つの一組の命令であって、前記方法が、前記選択および／または調整によって特定される前記指輪の算出されたコストを表す数値を表示するステップを含む、ことを特徴とする命令。
【請求項２８】
請求項１１ないし２７のうちいずれか一つの一組の命令であって、前記方法が、報告書を生成するステップを含み、前記報告書が、前記ユーザ制御手段によってなされる任意の選択および／または調整を特定する詳細を含む、ことを特徴とする命令。
【請求項２９】
請求項２８の一組の命令であって、前記報告書がさらに、前記三次元表現の収集された二次元イメージを含む、ことを特徴とする命令。
【請求項３０】
請求項２８または請求項２９の一組の命令であって、前記報告書が、前記所定の仕様を参照して算出される金銭的な値を含む、ことを特徴とする命令。
【請求項３１】
請求項２８ないし３０のうちいずれか一つの一組の命令であって、前記報告書が、前記第１のオブジェクトに伴う前記人を識別する詳細を含む、ことを特徴とする命令。
【請求項３２】
請求項１１ないし３１のうちいずれか一つの一組の命令であって、前記ユーザ制御手段が、宝飾品指輪帯のスタイルの選択を可能にするように適応される、ことを特徴とする命令。
【請求項３３】
請求項１１ないし３２のうちいずれか一つの一組の命令であって、前記ユーザ制御手段が、宝飾品指輪宝石設定のスタイルの選択を可能にするように適応される、ことを特徴とする命令。
【請求項３４】
請求項３３の一組の命令であって、前記ユーザ制御手段が、前記設定に対する少なくとも一つの宝石の選択を可能にするように適応される、ことを特徴とする命令。
【請求項３５】
請求項１１ないし３４のうちいずれか一つの一組の命令であって、前記ユーザ制御手段が、前記帯にセットされるべき宝石の選択を可能にするように適応される、ことを特徴とする命令。
【請求項３６】
請求項１１ないし３５のうちいずれか一つの一組の命令であって、前記ユーザ制御手段が、宝飾品指輪帯のスタイルの選択を可能にするように適応される、ことを特徴とする命令。
【請求項３７】
請求項１１ないし３６のうちいずれか一つの一組の命令であって、前記方法が、宝石の所定のカットの選択を可能にするように適応されるユーザ制御手段を提供するステップを含む、ことを特徴とする命令。
【請求項３８】
請求項１１ないし３７のうちいずれか一つの一組の命令であって、前記方法が、宝石の分類の選択を可能にするように適応される制御手段を含む、ことを特徴とする命令。
【請求項３９】
請求項１１ないし３８のうちいずれか一つの一組の命令であって、前記生成された三次元表現が、所定の色の少なくとも一つの宝石の表現を含む、ことを特徴とする命令。
【請求項４０】
請求項３７の一組の命令であって、前記方法が、前記少なくとも一つの宝石の前記色の選択を可能にするように適応される制御手段を与えるステップを含む、ことを特徴とする命令。
【請求項４１】
請求項４０の一組の命令であって、前記制御手段が、各色によって表される宝石のテキスト表現を提供する、ことを特徴とする命令。
【請求項４２】
請求項１１ないし４１のうちいずれか一つの一組の命令であって、前記生成された三次元表現が、所定の寸法の宝石の表現を含む、ことを特徴とする命令。
【請求項４３】
請求項１１ないし４２のうちいずれか一つの一組の命令であって、前記生成された三次元表現が、所定のカットの宝石を含む、ことを特徴とする命令。
【請求項４４】
請求項１１ないし４３のうちいずれか一つの一組の命令であって、前記方法が、少なくとも一つの宝石に対する重量の選択を可能にするように適応される制御手段を与えるステップを含む、ことを特徴とする命令。
【請求項４５】
請求項１１ないし４４のうちいずれか一つの一組の命令であって、前記方法が、前記手と関連する人の連絡先詳細を受け取るように適応される制御手段を与えるステップを含む、ことを特徴とする命令。
【請求項４６】
請求項１１ないし４５のうちいずれか一つの一組の命令であって、前記方法が、スクリーン上に、
前記手と関連する人に対する連絡先情報を受け取り、
前記手の所定の指の選択を可能にし、かつ
指輪寸法の選択を可能にする、ように適応される制御手段の組合せ、を与えるステップを含む、ことを特徴とする命令。
【請求項４７】
請求項１ないし４６のうちいずれか一つの一組の命令であって、前記方法が、オブジェクトの三次元表現を収集する装置を起動するように適応される制御手段を与えるステップを含む、ことを特徴とする命令。
【請求項４８】
計算機可読の媒体に格納される一組のコンピュータ実行可能命令であって、前記命令が、実質的に本願明細書において、添付の図面を参照して図と共に説明されるような方法を実施するよう適応される、命令。
【請求項４９】
請求項１ないし４８のうちいずれか一つの一組の命令であって、前記方法が、オブジェクトの三次元表現を収集する装置を起動するように適応される制御手段を与えるステップを含む、ことを特徴とする命令。
【請求項５０】
計算機可読の媒体に格納される一組のコンピュータ実行可能命令であって、前記命令が、実質的に本願明細書において、添付の図面を参照して図と共に説明されるような方法を実施するよう適応される、命令。
【発明の詳細な説明】
【技術分野】
【０００１】
本発明は、グラフィカルユーザインタフェースに関する。特に、本発明は商品のグラフィック表現を提供するインタフェースに関する。好ましくは、本発明は商品の三次元表現を与えるグラフィックインタフェースを提供することができる。特定の実施態様において、本発明は所定の手の三次元グラフィック表現と共同して指輪の三次元グラフィック表現を与えるグラフィカルユーザインタフェースを提供することができる。
【背景技術】
【０００２】
出願人は、三次元デジタル表現が商品の小売を含む用途に役立つであろうことに気がついた。出願人が思いついた１つの特定の用途は、宝飾品、指輪および宝石の小売である。出願人は、宝飾品の品目に対する市場における何人かの顧客が、彼（女）らが商店陳列（例えば）に見る品目が彼（女）らの身体上でどのように見えるかについて視覚化するのにしばしば困難を有するということを発見した。指輪の場合には、所定の指輪が彼（女）ら自身の手の上に配置されるときに、帯の厚さが時には彼（女）らの指の全体的な外観に関して驚くべき影響を有する場合がある。このために、小売業者は、できる限り多くの異なる寸法およびタイプの帯設定および宝石を持とうとする。しかしながら、これは余分の在庫の形の経済コストをもたらす。
【０００３】
宝飾品指輪の三次元表現と組み合わせられた顧客の手の三次元表現を表示することによって、宝飾品指輪の顧客がより良い選択をする際に補助することができるか、または小売業者がより少ない在庫を持つことを可能にできることを、出願人が思いついた。
【０００４】
出願人は、また、指輪が三次元表現に基づいて選択される場合、指輪のために指定されるであろう構成要素の選択において、相当な柔軟性があることに気がついた。
【発明の概要】
【発明が解決しようとする課題】
【０００５】
したがって、オブジェクトの仕様を作り出すのを容易にするグラフィカルユーザインタフェースを提供すること、または少なくともグラフィカルユーザインタフェースの役立つ選択肢を公衆に提供することが、本発明の更なる一目的である。
【０００６】
指定されたオブジェクトが、別のオブジェクトと共に表されることができるグラフィカルユーザインタフェースを提供すること、または少なくともグラフィカルユーザインタフェースの役立つ選択肢を公衆に提供することが、本発明の更なる一目的である。
【０００７】
上記の問題に対処すること、または、少なくとも、役立つ選択肢を公衆に提供することが本発明の一目的である。
【０００８】
ここで使用しているように、用語『ズームの程度』またはそういったものはオブジェクトの表現が所定のディスプレイ内にどれくらい大きく見えるかについて指す。
【０００９】
ここで使用しているように、用語『テキスト表現』およびそういったものは任意のテキスト、レタリング、語法または他のシンボルによって特性の表現を広く指すことを意図される。
【００１０】
この明細書内に引用されるあらゆる特許または特許出願を含む、全ての参考文献は、本願明細書に引用したものとする。いかなる参考文献も従来技術を構成するという何の承認も、なされない。参考文献に関する議論は、それらの著者が主張することを述べ、および出願人は引用された文献の精度および適合に異議を申し立てる権利を留保する。明らかに理解されることは、複数の従来技術刊行物が本願明細書において参照されるとはいえ、この参照は、これらの文献のいずれかが従来技術における、ニュージーランドにおける、またはその他の国における、一般汎用知識の一部を形成するということの承認を構成するものではない、ということである。
【００１１】
用語『備える（ｃｏｍｐｒｉｓｅ）』は、様々な法域の下で、排除的な、または、包括的な意味のいずれにも帰されることができると認められる。この明細書のために、かつ特に明記しない限り、用語『備える（ｃｏｍｐｒｉｓｅ）』は包括的な意味を有する−すなわち、それが直接参照する記載された構成要素だけでなく、しかしさらに、他の明記されない構成要素または要素をもまた包含することを意味するとみなされる。この原理は、用語『備えられた（ｃｏｍｐｒｉｓｅｄ）』または『備えた（ｃｏｍｐｒｉｓｉｎｇ）』が方法またはプロセス内の一つ以上のステップに対して使われるときにもまた、使われる。本発明の更なる態様および利点は、例証としてだけ与えられる後に続く記述から明らかになる。
【課題を解決するための手段】
【００１２】
本発明の一態様は、計算機可読の媒体に格納される一組のコンピュータ実行可能命令を備え、前記命令が、以下のステップ、すなわち、
Ｉ．第１のオブジェクトの三次元表現を受信するステップ、
ＩＩ．作成されるべき第２のオブジェクトの特性を特定する選択を可能にするように適応される一組の制御手段を供給するステップ、
ＩＩＩ．前記一組の制御手段を通して前記選択を識別するイベントの指示を受信するステップ、
ＩＶ．第２のオブジェクトと組み合わせられた第１のオブジェクトの三次元表現を生成するステップ、および
Ｖ．第２のオブジェクトと組み合わせられた第１のオブジェクトの前記三次元表現の表示を出力するステップ、を含む方法を実施するように適応される。
【００１３】
本発明によって、顧客またはオペレータが第２のオブジェクトの特性を特定する選択を行って、別のオブジェクトと組み合わせてそのオブジェクトの表示された表現を考慮してそれらの選択を行うことができる。これは、それが使われるかまたは着用される第１のオブジェクトと組み合わせて特定されるオブジェクトの視覚化を容易にする。これによって、より良い選択が第２のオブジェクトの特定された特性に対してなされることができる。
【００１４】
好ましくは、第２のオブジェクトと組み合わせられた第１のオブジェクトの三次元表現の前記生成が、第１および第２のオブジェクトの幾何学形状を保つ。
【００１５】
好ましくは、この方法が、制御手段によってなされる選択を識別する所定のイベントの後で生成された三次元表現をアップデートするステップを含む。
【００１６】
好ましくは、生成された三次元表現が、メッシュ要素を備えた幾何学的メッシュ表現を含む。
【００１７】
好ましくは、第１のオブジェクトに対応するメッシュ要素が、第１のオブジェクトの一部の写真表現を含む。
【００１８】
好ましくは、前記写真表現が、少なくとも３色を使用して表示される。
【００１９】
好ましくは、前記選択が、第２のオブジェクトの所定の構成要素を選択することによって特性を特定する。
【００２０】
好ましくは、前記選択が、第２のオブジェクトの材料を特定する。
【００２１】
好ましくは、前記選択が、第２のオブジェクトの寸法を特定する。
【００２２】
好ましくは、この制御手段が、ユーザが第２のオブジェクトの寸法を調整することができるように適応される。
【００２３】
好ましくは、第２のオブジェクトと組み合わせられた第１のオブジェクトの前記生成された三次元表現が、第１および第２のオブジェクト間の所定の相互関係の表現を含む。
【００２４】
好ましくは、第２のオブジェクトが、指輪である。
【００２５】
好ましくは、第１のオブジェクトが、手である。
【００２６】
好ましくは、所定の相互関係の前記表現が、手の指の上へ取り付けられて示される指輪である。
【００２７】
好ましくは、指輪と組み合わせられた手の前記三次元表現が、所定の直径の指輪を示す。
【００２８】
好ましくは、この方法が、指の上の指輪の位置の調整を可能にするように適応される制御手段を与えるステップを含む。
【００２９】
好ましくは、指輪と共に手の前記三次元表現が、所定の帯幅の指輪を示す。
【００３０】
好ましくは、この方法が、それが生成された三次元表現上に見えるように、帯の幅の調整を可能にするように適応されるユーザ制御手段を提供するステップを含む。
【００３１】
好ましくは、第２のオブジェクトと組み合わせられた第１のオブジェクトの生成された三次元表現が、所定の視点から表示される。
【００３２】
好ましくは、この方法が、前記所定の視点が再方向付けされることができるように適応される制御手段を与えるステップを含む。
【００３３】
好ましくは、指輪と共に手の生成された三次元表現が、所定の程度のズームによって表示される。
【００３４】
好ましくは、この方法が、前記所定の程度のズームが調整されることができるように適応される制御手段を与えるステップを含む。
【００３５】
好ましくは、この方法が、所定の視点およびズームの程度で、指輪と共に手の前記生成された三次元表現の二次元表示を収集して格納するステップを含む。
【００３６】
好ましくは、前記三次元表現を生成するステップが、宝飾品指輪構成要素の格納された三次元表現を取り出すステップを含む。
【００３７】
好ましくは、指輪と組み合わせられた手の生成された三次元表現が、指輪帯に割り当てられる少なくとも一つの色を含む。
【００３８】
好ましくは、この方法が、指輪に割り当てられる少なくとも一つの色の選択を可能にするように適応されるユーザ制御手段を提供するステップを含む。
【００３９】
好ましくは、前記制御手段が、少なくとも一つの金属のテキスト記述を含む少なくとも一つの色の選択を可能にするように適応される。
【００４０】
好ましくは、指輪に割り当てられる少なくとも一つの色が、この制御手段によって表される少なくとも一つの金属に対応する。
【００４１】
好ましくは、この方法が、選択および／または調整によって特定される指輪の算出されたコストを表す数値を表示するステップを含む。
【００４２】
好ましくは、この方法が、報告書を生成するステップを含み、前記報告書が、前記ユーザ制御手段によってなされる任意の選択および／または調整を特定する詳細を含む。
【００４３】
好ましくは、前記報告書がさらに、三次元表現の収集された二次元イメージを含む。
【００４４】
好ましくは、この報告書が、所定の仕様を参照して算出される金銭的な値を含む。
【００４５】
好ましくは、この報告書が、第１のオブジェクトに伴う人を識別する詳細を含む。
【００４６】
好ましくは、ユーザ制御手段が、宝飾品指輪帯のスタイルの選択を可能にするように適応される。
【００４７】
好ましくは、ユーザ制御手段が、宝飾品指輪宝石設定のスタイルの選択を可能にするように適応される。
【００４８】
好ましくは、ユーザ制御手段が、前記設定に対して少なくとも一つの宝石の選択を可能にするように適応される。
【００４９】
好ましくは、ユーザ制御手段が、帯にセットされる宝石の選択を可能にするように適応される。
【００５０】
好ましくは、ユーザ制御手段が、宝飾品指輪帯のスタイルの選択を可能にするように適応される。
【００５１】
好ましくは、この方法が、宝石の所定のカットの選択を可能にするように適応されるユーザ制御手段を提供するステップを含む。
【００５２】
好ましくは、この方法が、宝石の分類の選択を可能にするように適応される制御手段を含む。
【００５３】
好ましくは、生成された三次元表現が、所定の色の少なくとも一つの宝石の表現を含む。
【００５４】
好ましくは、この方法が、少なくとも一つの宝石の色の選択を可能にするように適応される制御手段を与えるステップを含む。
【００５５】
好ましくは、この制御手段が、各色によって表される宝石のテキスト表現を提供する。
【００５６】
好ましくは、生成された三次元表現が、所定の寸法の宝石の表現を含む。
【００５７】
好ましくは、生成された三次元表現が、所定のカットの宝石を含む。
【００５８】
好ましくは、この方法が、少なくとも一つの宝石に対する重量の選択を可能にするように適応される制御手段を与えるステップを含む。
【００５９】
好ましくは、この方法が、手と関連する人の連絡先詳細を受け取るように適応される制御手段を与えるステップを含む。
【００６０】
好ましくはこの方法が、スクリーン上に、手と関連する人に対する連絡先情報を受け取り、手の所定の指の選択を可能にし、かつ指輪寸法の選択を可能にする、ように適応される制御手段の組合せ、を与えるステップを含む。
【００６１】
好ましくは、この方法が、オブジェクトの三次元表現を収集する装置を起動するように適応される制御手段を与えるステップを含む。
【図面の簡単な説明】
【００６２】
本発明の更なる態様は、例証としてだけ、および、添付の図面を参照して、与えられる後に続く記述から明らかになり、そこにおいて、
【００６３】
【図１】本発明の好ましい一実施態様に従うグラフィカルユーザインタフェースによって実施されるプロセスを表す。
【図２】本発明の好ましい実施態様に従うグラフィカルユーザインタフェースによって表示される第１のスクリーンを示す。
【図３】本発明の好ましい実施態様に従って指輪を特定して、最終報告書（後で示される）を生成するために必要な情報を表す。
【図４】本発明の好ましい実施態様に従うグラフィカルユーザインタフェースによって表示される別のスクリーンを示し、このスクリーンは三次元表現が収集された指示に関連する。
【図５】指輪が本発明の好ましい実施態様に従って特定されることができるグラフィカルユーザインタフェース表示制御手段によって表示されるスクリーンを示す。
【図６】指輪が本発明の好ましい実施態様に従って特定されることができるグラフィカルユーザインタフェース表示制御手段によって表示されるスクリーンを示す。
【図７】指輪が本発明の好ましい実施態様に従って特定されることができるグラフィカルユーザインタフェース表示制御手段によって表示されるスクリーンを示す。
【図８】指輪が本発明の好ましい実施態様に従って特定されることができるグラフィカルユーザインタフェース表示制御手段によって表示されるスクリーンを示す。
【図９】指輪が本発明の好ましい実施態様に従って特定されることができるグラフィカルユーザインタフェース表示制御手段によって表示されるスクリーンを示す。
【図１０】指輪が本発明の好ましい実施態様に従って特定されることができるグラフィカルユーザインタフェース表示制御手段によって表示されるスクリーンを示す。
【図１１】指輪が本発明の好ましい実施態様に従って特定されることができるグラフィカルユーザインタフェース表示制御手段によって表示されるスクリーンを示す。
【図１２】指輪が本発明の好ましい実施態様に従って特定されることができるグラフィカルユーザインタフェース表示制御手段によって表示されるスクリーンを示す。
【図１３】指輪が本発明の好ましい実施態様に従って特定されることができるグラフィカルユーザインタフェース表示制御手段によって表示されるスクリーンを示す。
【図１４】指輪が本発明の好ましい実施態様に従って特定されることができるグラフィカルユーザインタフェース表示制御手段によって表示されるスクリーンを示す。
【図１５】本発明の好ましい実施態様に従うグラフィカルユーザインタフェースによって表示される最終報告書を示す。
【発明を実施するための形態】
【００６４】
図１は、本発明の好ましい一実施態様に従うグラフィカルユーザインタフェース（ＧＵＩ）によって実施されるプロセスを表す。
【００６５】
このグラフィカルユーザインタフェースは、宝飾品指輪を特定して、表示する際の使用に関して以下に記載される。この宝飾品指輪は、顧客が宝飾品指輪（図示せず）の美的外観に関する情報に基づいた選択を行うことができるために指定された指輪と共に彼（女）らの手の三次元表現上に表示される。代替実施態様が種々の他の小売商品を表示する際の使用に容易に適応されることができることは、当業者にとって明らかである。
【００６６】
図内に表される異なるプロセスの順序が必ずしも逐次的であるというわけではないことが当業者によって認識されるように、図１はイベント駆動プロセスを表す。
【００６７】
このプロセスは、初期化シーケンス（３）で開始する。ボタン（２）が図２内に示されるスクリーン上に表示される。ステップ４でボタンがクリックされると、ＧＵＩオペレータは初期化情報に対してプロンプトを出される、ステップ５。この情報は、顧客の連絡先情報、指輪が表示されるべき指の選択およびその指の寸法を含む。
【００６８】
ステップ６で、ＧＵＩはスキャン装置（図示せず）を起動させて、それがデータを出力するのを待ち、そして次に、そのデータを受け取る。データは、顧客の手の収集された三次元表現を定める。依然としてステップ（６）でこの三次元表現が受け取られると、初期化シーケンス（３）は完了される。
【００６９】
好ましい実施態様において、幾何学的メッシュを出力するスキャン装置と連動して、ＧＵＩが使われる。この幾何学的メッシュは、手の対応する部分の写真表現によって『ペイントされる』メッシュ要素を有する。手の三次元表現は、したがって、目に対して幾何学的に正確で、更に顧客の手の肌合いおよび色彩を示す。
【００７０】
初期化シーケンスの終わりでＧＵＩは、所定の手の幾何学的に正確で写真のように正確な表現を有して、この手に伴う人の連絡先詳細を有する。このＧＵＩはさらに、宝飾品指輪が着用されるべき手の指定された指を有する。この段階で、ＧＵＩはさらにその指の寸法を有する。
【００７１】
図３はページの最上部で、そのプロンプトがステップ５で与えられる詳細を表す。
【００７２】
図４は、装置（図示せず）が所定の手の三次元表現を収集して供給する間に、ステップ６で表示されるであろう典型的なスクリーンを示す。
【００７３】
再び図１を参照して、ボックス７は一旦初期化シーケンス（３）が完了されると、オペレータおよび顧客が利用できる一組の選択プロセスを表す。これらのプロセスによって、オペレータが最終的にはこの顧客のために作られるべき指輪の仕様を与えるコメント、形状および材料を特定することができる。指輪または代替商品に対して特定されなければならないさまざまな側面は、当業者にとって明らかである。
【００７４】
ボックス７は、一旦初期化シーケンス（３）が完了されると有効にされる選択または仕様プロセスを表す。
【００７５】
選択プロセス（７）は、手の上の指輪の表示と同時に表示されるＧＵＩ制御手段によって表される。この表示は、表示プロセス（８）によって与えられる。手の上の指輪の表示は、選択プロセス（７）を終えるためにボタン（１１８）によってＧＵＩ制御プロセス（９）が起動されない限り、制御手段と同時に示される。選択プロセス（７）に伴うＧＵＩ制御手段は、ボックス（１０）によって表される『選択する』ＧＵＩ制御プロセスの起動によって再び現れるようにされることができる。
【００７６】
表示プロセス（８）はさらに、アカウントシーケンスを開始するボックス１１によって表される購入ＧＵＩ制御手段を与える。
【００７７】
選択プロセス（７）の１つは、様々なタイプの指輪の選択を可能にする『指輪タイプ』プロセス（６）である。
【００７８】
図５は、初期化シーケンスが完了された直後に表示されるＧＵＩスクリーン（１）を示す。このスクリーンは、顧客の手の三次元表現が表示される表示ペイン（２００）を有する。
【００７９】
図６は、ボタン（１１２）が起動されると表示されるＧＵＩスクリーン（１）を示す。これは、ボックス（１２）、図１の『指輪タイプ』プロセスを起動させる。この指輪タイプボタンを起動させると、追加ボタン（３０ないし３３）と共にペイン（２０１）をアップデートする。各ボタン（３０ないし３３）は、異なるタイプの指輪を表す。好ましい実施態様において、表示される指輪は婚約指輪（３０）、女性の指輪（３１）、結婚式セット（３２）および男性の指輪（３３）である。
【００８０】
図７は『貴金属』ボタン（１１３）が起動された後の、ＧＵＩスクリーン（１）を表す。これは、図１のボックス（１３）によって表される『貴金属』プロセスを起動させる。
【００８１】
顧客が指輪のために選択することができる異なる金属に関するボタンは、１８カラットホワイトゴールド（３６）、１８カラットローズゴールド（３７）、９カラットイエローゴールド（３８）、９カラットホワイトゴールド（３９）および９カラットローズゴールド（４０）である。
【００８２】
ボタン（３０）のいずれかの起動は、所定のボタン（３０）ないし（４０）を起動させることによってなされる選択によって特定される宝飾品指輪（図示せず）と共に、ユーザの手の三次元表現の生成を開始する。宝飾品指輪は、ステップ５で示される指の上に表示されて、ステップ５で表される指寸法に従って寸法を規定される。
【００８３】
図６を参照して、ボックス２００は、三次元表現が表示されるＧＵＩペインを表す。三次元表現が、アップデートされることができる二次元表現の形式で表示されることができることは、当業者にとって明らかである。好ましい実施態様において、この三次元表現は、ペイン（２００）を通して見られるビューに関してそれに新しい方向を与えるように操作されることができる指輪と共に手の表示の形をとる。プロセス（１８ないし２１）およびボタン（１１８ないし１２１）によって表されるＧＵＩ制御手段によって、オペレータが手の上に示される指輪と共に手の生成された三次元表現のビューを調整することができる。
【００８４】
ボタン（１１８）によって起動されるプロセス（１８）は、手が見られて指輪が調整されることができる制御手段を起動させる。
【００８５】
ボタン（１１９）によって起動されるプロセス（１９）によって、ビューがさまざまな程度にズームインまたはズームアウトされることができる。
【００８６】
ボタン（１２０）によって起動されるプロセス（２０）は、所定の視点および『ズームの程度』から指輪と共に手の生成された三次元表現のスナップショットを撮る。
【００８７】
プロセス（１０）において、ボタン（１１０）によって表され、常に目に見えおよび、ボタン（１１２ないし１１７）によって選択プロセスペイン（２０１）の間をトグルし、見えるかまたは隠される。
【００８８】
ボタン（１２２）によって表される手をスキャンするプロセス（２２）によって、顧客の手の新しい三次元表現がＧＵＩによって受け取られることができる、繰り返された三次元スキャンプロセスをＧＵＩが開始することができる。
【００８９】
図８は、ボタン（１１３）が起動され、そして次に、ボタン（３０ないし３３）の１つが起動されると表されるＧＵＩスクリーンを表す。ボタン（４１ないし５２）は、これらのボタンの起動によって選択されるであろう宝飾品指輪帯のさまざまなデザインを表す。ボタン（４１ないし５２）は、宝飾品指輪帯の絵画表現を示すことができる。
【００９０】
図８を参照して、ボタン（１２３）によって表されるプロセス（２３）は、ステップ５でとられる顧客の詳細の表示（図示せず）を提供する。
【００９１】
図８を参照して、ボタン（１１１）は、次にアカウントプロセスを起動させる購入プロセス（１１）を起動させる。
【００９２】
表示フィールド（１２４）によって表される価格プロセス（２４）は、選択プロセス（７）によってなされる選択によって規定される宝飾品指輪に対してＧＵＩによって算出された価格を与える。好ましい実施態様において、ボックス（１２４）内に示される価格は、顧客に対する商品のコストを表す。このコストは選択プロセス（７）によってなされる選択を保存することによって生成され、および、材料およびコストのデータベース（図示せず）に関して算出される。
【００９３】
また、好ましい実施態様において、新しい選択が選択プロセス（７）の１つによってなされるたびに、コストはアップデートされる。
【００９４】
ＧＵＩスクリーン（１）はさらに、ＧＵＩ制御手段が与えられるペイン（２０１）を有する。図５内に示される制御手段は、図１内に表されるさまざまな選択プロセス（１２ないし１７）を開始する一組のボタン（１１２ないし１１７）である。
【００９５】
ペイン２００で示す宝飾品指輪と共に手の生成された三次元表現の表示は、選択プロセス（７）を通してなされる各々の選択によってアップデートされる。例えば、ボタン（４１ないし５２）の全てによる新タイプの宝飾品帯の選択は、ペイン２００内に示される表示を、新しく選択された宝飾品指輪帯を表すようにアップデートすることに結びつく。
【００９６】
図９は、ボックス（５３ないし６２）の起動によって異なるタイプの宝石の選択を可能にするために表示されるＧＵＩスクリーンを表す。ペイン（２０１）は、ボックス（１１５）の起動によってこの一組のボックス（５３ないし６２）と共にアップデートされる。
【００９７】
図１０は、ペイン（２０１）がボタン（１１７）の起動によってボックス（６４ないし６７）と共にアップデートされたＧＵＩスクリーンを表す。ボタン（６４）および（６５）によって、宝飾品帯の幅がそれぞれ増減されることができる。さらにペイン（２０１）内に示されるのがボタン（６６）および（６７）であり、それによってオペレータが、指の上で上方向へまたは下方向へ指輪の位置を調整することができる。
【００９８】
図１１は、
顧客が宝石を選択する準備のできていることを示唆する、ボックス（１１５）が起動されたあと、ペイン（２０１）がアップデートされるとＧＵＩによって表示されるスクリーンを表す。
【００９９】
ボタン（６８）および（６９）によって、それが選択されるべき主宝石かまたは副宝石かどうかをオペレータが明示することができる。当業者は、いつの主および副選択が適当かについて理解する。ボタン（７０）および（７１）によって、それが選択されるべきその宝石または複数宝石の寸法であるかどうか、または、それが選択されるべき色および透明性であるかどうかをオペレータが明示することができる。
【０１００】
図１１は、ボタン（７２ないし８１）が宝石の寸法の選択を可能にするために表示されるように、ボタン（７０）が起動された一例を示す。
【０１０１】
図１２はボタン（７１）が起動されたＧＵＩスクリーン（１）を示し、および、ボックス（２０１）は主または副指輪のいずれかの色および透明性両方の選択を示すようにアップデートされる。図１２で示すＧＵＩスクリーン（１）は、ボタン（１１５）、（６８）および（７１）が連続して全て選択されたときに表示される。ボタン８２ないし８８は、色の選択において有効な選択肢を表す。ボックス（９０ないし９６）は、宝石の透明性の選択において有効な選択肢を表す。（８２ないし９６）のようなボタンの起動は、ペイン（２００）内に現れるアップデートされた生成された三次元表現（図示せず）によって表される。ボタン（８２ないし９６）を通してなされる選択は、さらにおそらく、また自動的にアップデートされるボックス（１２４）内に示される価格に関する影響を有する。
【０１０２】
図１３は、ボタン（１１６）が表示される場合にペイン（２０１）が宝飾品指輪宝石設定のスタイルの選択肢を表示するようにアップデートされたときに、ＧＵＩ（１）によって表示されるスクリーンを示す。ボックス（２９８ないし３０７）は、スタイルに関して宝石設定の選択のためのさまざまなオプションを表す。これらのボタンは、宝飾品指輪宝石設定の絵画表現を含むことができる。ボタン（２９６）によって、それがボタン（２９６ないし３０７）を通して選択されるべき宝石設定のスタイルであることを、オペレータが示唆することができる。代わりとして、ボタン（２９７）によってオペレータが、それが選択されるべき宝飾品指輪宝石設定の貴金属であることを示唆することができる。
【０１０３】
図１４は、ペイン（２０１）が宝石のタイプの選択におけるオプションを表すボタン（３０８ないし３１７）を表示するようにアップデートされた同様のスクリーンを表す。
【０１０４】
ボタンエンハンスメントボタン（１１７）が起動され、かつ宝石ボタン（３１８）が起動されると、図１４で示すペイン（２０１）が表示される。ボタン（３１９）および（３２０）によって、ペイン（２０１）が、それぞれ、それが、エンハンスメント宝石が加えられるべき帯または設定であるかどうかの選択におけるオプションを表すボタンと共にアップデートされることができる。
【０１０５】
図１５は、図１のボックス（２３）によって表されるプロセスがボタン（１２３）を通して起動されるときに、ＧＵＩによって生成される報告書を示す。図１５内に示される報告書は、ＧＵＩ（１）によってなされる全ての選択の一覧を示す一組のフィールド（３２２）を示す。ボックス（１２４）内に示される情報に対応するフィールド（３２３）は、ボックス（１２４）内に示される価格に対応する。チェックボックス（３２４）は、顧客が見積り価格を欲しいかどうか示唆する。フィールド（３２５）は、ボックス３よって表され、かつ連絡先詳細、指輪のための指定された指のそれらの選択および指輪の寸法の選択に関連する初期化プロセスで集められた情報を表示する。ボタン（３２６）は、ボタン（１１１）およびプロセス（１１）に対応する。ボタン（３２６）の起動は、アカウントプロセスを開始する。ボタン（３２６）によって、オペレータが、選択プロセスがボックス（７）によって表されることを可能にするスクリーン（６ないし１４）の１つへ戻ることができる。図１５の報告書にさらに示されるのが、フィールド（３２２）にリストされる選択肢に対応する指輪のスナップショットである。図１５内に示される報告書は、例えば顧客によって彼（女）らのパートナーに見せるために印刷されて持ち去られることができる。
【０１０６】
図１５内に示される報告書は、また、書面にした見積りの形式としての機能を果たすことができる。
【０１０７】
再び図１を参照して、アカウントプロセスはオペレータが顧客初期化プロセスの詳細を確認することを促される（３２８）のステップを含む。ボックス（３２９）は、一旦計上された取引が生じたならば、領収書の印刷を表す。ボックス（３３０）は、新しい初期化プロセス（３）によって始まる別のセッションに対するその元の状態へ戻るＧＵＩを表す。
【０１０８】
図１６は、本発明の好ましい実施態様によって実施される概要プロセスを表す。
【０１０９】
プロセス（４００）によって、顧客が指輪のようなオブジェクトの特性を特定して、別のオブジェクトと共にそのオブジェクトを見ることができる。ここで例示される例において、オブジェクトは指輪および手である。指輪は、指の上へ取り付けて示していることによって手と共に示される。
【０１１０】
図１６内に表されるプロセス（４００）によって、顧客またはオペレータが指輪の特性に対する仕様を作り出すことができる。このプロセスによってさらに、顧客またはオペレータが、仕様が作成されている間に仕様に対応する指輪を見ることができる。さまざまな特性の選択の影響が評価されることができるように、指輪が顧客の手と共に表示される。
【０１１１】
プロセス（４００）は、ＧＵＩが顧客の手のようなオブジェクトの三次元表現を受け取るステップ（４０１）で開始する。
【０１１２】
ステップ（４０２）でＧＵＩは、なされるべき選択が指輪の特性を特定することができるボタンの形の一組の制御手段を表示する。初めに、起動されるボタン（１１２ないし１１７）の１つに応答して他のボタンが表示されるが、ボタン（１１２ないし１１７）が表示される。
【０１１３】
ステップ（４０３）で、制御イベントがＧＵＩによって受け取られる。これらは、一般的に（２３ないし４０）のようなボタンの起動であり、例を与えるために、顧客によって選択される金属を識別する。
【０１１４】
ステップ（４０４）で、ステップ（４０３）での選択によって特定された指輪と共に顧客の手の三次元表現が、生成される。この三次元表現は、さまざまな角度から手の上の指輪のビューを提供するのに用いられることができる。
【０１１５】
ステップ（４０５）で、手および指輪の三次元表現の表示がＧＵＩによって表示される。この表示は、調整可能な視点および調整可能なズームを含むことができる。
【０１１６】
好ましい実施態様において、ステップ（４０２ないし４０４）が制御手段によってなされる各々の選択で繰り返される。
【０１１７】
好ましい実施態様において、生成された三次元表現およびその表現の表示は、特性の各々の選択によってアップデートされる。しかしながら、代替実施態様において、全てまたはいくつかの選択がなされたあとにだけ、これらがアップデートされることができる。
【０１１８】
好ましい実施態様においてさらに、ユーザの手が、指輪の特性に対してなされる任意の選択の前に表示される。しかしながら、代替実施態様はこのポイントで手を表示することを省略することができる。
【０１１９】
ステップ（４０６）は、指輪の特性が特定されたプロセスの終了を表す。
【０１２０】
本発明の好ましい実施態様は、宝飾品指輪と共に顧客の手の生成された三次元表現によって、ユーザがペイン（２００）を通して、彼（女）らがペイン（２０１）内の制御手段を通してなされる選択によって特定した指輪の正確な表現と共に、彼（女）らの手の幾何学的に正確で写真のように正確な表現を見ることができることを可能にする。
【０１２１】
生成された三次元表現が幾何学的に正確であるので、ＧＵＩ（１）によって顧客が自分自身の手および指の次元およびさまざまな指輪帯、宝石設定および宝石の次元の美的価値における相互作用を見ることができる。
【０１２２】
彼（女）らが購入する予定である指輪と共に顧客の手の生成された三次元表現がまた、色彩および表面模様に関して正確であるので、これによって顧客が彼（女）らの肌の色と彼（女）らが購入する予定である宝飾品指輪の金属および宝石の色との間の相互作用を観察することができる。
【０１２３】
本発明の態様は例証としてだけ記載され、および、変更および付加が添付の特許請求の範囲において定義したその有効範囲から逸脱することなく、それに対してなされることができると認識されるべきである。
【符号の説明】
【０１２４】
１  ＧＵＩスクリーン
２  ボタン
３  初期化シーケンス
４  ステップ
５  ステップ
６  ステップ  『指輪タイプ』プロセス
７  選択プロセス
８  表示プロセス
９  ＧＵＩ制御プロセス
１０  ＧＵＩ制御プロセス
１１  購入ＧＵＩ制御手段  購入プロセス
１２  ボックス
１２−１７  選択プロセス
１３  『貴金属』プロセス
１８−２１  プロセス
２２  手をスキャンするプロセス
２３  ボックス
２４  価格プロセス
３０−３３  追加ボタン
３０  婚約指輪
３１  女性の指輪
３２  結婚式セット
３３  男性の指輪
３６  １８カラットホワイトゴールド
３７  １８カラットローズゴールド
３８  ９カラットイエローゴールド
３９  ９カラットホワイトゴールド
４０  ９カラットローズゴールド
４１−５２  デザインボタン
５３−６２  ボックス
６４−６７  ボックス  ボタン
６８−７１  ボタン
７２−８１  ボタン
８２−８８  ボタン
９０−９６  ボックス
１１１  ボタン
１１２  ボタン
１１２−１１７  選択プロセスボタン
１１３  『貴金属』ボタン
１１５  ボックス
１１６  ボタン
１１７  ボタンエンハンスメントボタン
１１８−１２１  ボタン
１２３  ボタン
１２４  表示フィールド
２００  表示ペイン
２０１  選択プロセスペイン
２９６  ボタン
２９７  ボタン
２９８−３０７  ボックス
３０８−３１７  ボタン
３１８  宝石ボタン
３１９−３２０  ボタン
３２２  フィールド
３２３  フィールド
３２４  チェックボックス
３２５  フィールド
３２６  ボタン
３２８  ステップ
３２９  ボックス
３３０  ボックス
４００  プロセス
４０１−４０６  ステップ
【図１】
2010506329.tif 000003
【図２】
2010506329.tif 000004
【図３】
2010506329.tif 000005
【図４】
2010506329.tif 000006
【図５】
2010506329.tif 000007
【図６】
2010506329.tif 000008
【図７】
2010506329.tif 000009
【図８】
2010506329.tif 000010
【図９】
2010506329.tif 000011
【図１０】
2010506329.tif 000012
【図１１】
2010506329.tif 000013
【図１２】
2010506329.tif 000014
【図１３】
2010506329.tif 000015
【図１４】
2010506329.tif 000016
【図１５】
2010506329.tif 000017
【手続補正書】
【提出日】平成20年11月7日(2008.11.7)
【手続補正１】
【補正対象書類名】特許請求の範囲
【補正対象項目名】全文
【補正方法】変更
【補正の内容】
【特許請求の範囲】
【請求項１】
計算機可読の媒体に格納される一組のコンピュータ実行可能命令であって、前記命令が、以下のステップ、すなわち、
ｌ．第１のオブジェクトの三次元表現を受信するステップ、
ＩＩ．作成されるべき一個の宝飾品の特性を特定する選択を可能にするように適応される一組の制御手段を供給するステップ、
ＩＩＩ．前記一組の制御手段を通して前記選択を識別するイベントの指示を受信するステップ、
ＩＶ．前記一個の宝飾品と組み合わせられた前記第１のオブジェクトの三次元表現を生成するステップであって、前記生成された三次元表現が、前記第１のオブジェクトの一部の写真表現を含む、メッシュ要素を備えた幾何学的メッシュ表現を含むステップ、および
Ｖ．前記一個の宝飾品と組み合わせられた前記第１のオブジェクトの前記三次元表現の表示を出力するステップ、を含む方法を実施するように適応される、命令。
【請求項２】
請求項１の一組の命令であって、前記一個の宝飾品と組み合わせられた前記第１のオブジェクトの三次元表現の前記生成が前記第１のオブジェクトおよび一個の宝飾品の幾何学形状を保つ、ことを特徴とする命令。
【請求項３】
請求項１および請求項２のうちいずれか一つの一組の命令であって、前記方法が、前記制御手段によってなされる選択を識別する所定のイベントの後で、前記生成された三次元表現をアップデートするステップを含む、ことを特徴とする命令。
【請求項４】
請求項１ないし３のうちいずれか一つの一組の命令であって、前記写真表現が少なくとも３色を使用して表示される、ことを特徴とする命令。
【請求項５】
請求項１ないし４のうちいずれか一つの一組の命令であって、前記選択が前記一個の宝飾品の所定の構成要素を選択することによって特性を特定する、ことを特徴とする命令。
【請求項６】
請求項１ないし５のうちいずれか一つの一組の命令であって、前記選択が前記一個の宝飾品の材料を特定する、ことを特徴とする命令。
【請求項７】
請求項１ないし６のうちいずれか一つの一組の命令であって、前記選択が前記一個の宝飾品の寸法を特定する、ことを特徴とする命令。
【請求項８】
請求項７の一組の命令であって、前記制御手段が、ユーザが前記一個の宝飾品の前記寸法を調整することができるように適応される、ことを特徴とする命令。
【請求項９】
請求項１ないし８のうちいずれか一つの一組の命令であって、前記一個の宝飾品と組み合わせられた前記第１のオブジェクトの前記生成された三次元表現が、前記第１のオブジェクトと一個の宝飾品との間の所定の相互関係の表現を含む、ことを特徴とする命令。
【請求項１０】
請求項９の一組の命令であって、前記一個の宝飾品が、指輪である、ことを特徴とする命令。
【請求項１１】
請求項１０の一組の命令であって、前記第１のオブジェクトが、手である、ことを特徴とする命令。
【請求項１２】
請求項１１の一組の命令であって、前記所定の相互関係の前記表現が、前記手の指の上へ取り付けられて示される前記指輪である、ことを特徴とする命令。
【請求項１３】
請求項１２の一組の命令であって、指輪と組み合わせられた手の前記三次元表現が、所定の直径の指輪を示す、ことを特徴とする命令。
【請求項１４】
請求項１２または請求項１３の一組の命令であって、前記方法が、前記指の上の前記指輪の位置の調整を可能にするように適応される制御手段を与えるステップを含む、ことを特徴とする命令。
【請求項１５】
請求項１２ないし１４のうちいずれか一つの一組の命令であって、指輪と共に前記手の前記三次元表現が、所定の帯幅の指輪を示す、ことを特徴とする命令。
【請求項１６】
請求項１５の一組の命令であって、前記方法が、それが生成された三次元表現上に見えるように、帯の幅の調整を可能にするように適応されるユーザ制御手段を提供するステップを含む、ことを特徴とする命令。
【請求項１７】
請求項１ないし１６のうちいずれか一つの一組の命令であって、前記一個の宝飾品と組み合わせられた前記第１のオブジェクトの前記生成された三次元表現が、所定の視点から表示される、ことを特徴とする命令。
【請求項１８】
請求項１７の一組の命令であって、前記方法が、前記所定の視点が再方向付けされることができるように適応される制御手段を与えるステップを含む、ことを特徴とする命令。
【請求項１９】
請求項１８の一組の命令であって、指輪と共に前記手の前記生成された三次元表現が、所定の程度のズームによって表示される、ことを特徴とする命令。
【請求項２０】
請求項１９の一組の命令であって、前記方法が、前記所定の程度のズームが調整されることができるように適応される制御手段を与えるステップを含む、ことを特徴とする命令。
【請求項２１】
請求項２０の一組の命令であって、前記方法が、所定の視点およびズームの程度で、前記指輪と共に手の前記生成された三次元表現の二次元表示を収集して格納するステップを含む、ことを特徴とする命令。
【請求項２２】
請求項１０ないし２１のうちいずれか一つの一組の命令であって、前記三次元表現を生成するステップが、宝飾品指輪構成要素の格納された三次元表現を取り出すステップを含む、ことを特徴とする命令。
【請求項２３】
請求項１１ないし２２のうちいずれか一つの一組の命令であって、前記指輪と組み合わせられた前記手の前記生成された三次元表現が、前記指輪帯に割り当てられる少なくとも一つの色を含む、ことを特徴とする命令。
【請求項２４】
請求項２３の一組の命令であって、前記方法が、前記指輪に割り当てられる少なくとも一つの色の選択を可能にするように適応されるユーザ制御手段を提供するステップを含む、ことを特徴とする命令。
【請求項２５】
請求項２４の一組の命令であって、前記制御手段が、少なくとも一つの金属のテキスト記述を含む少なくとも一つの色の選択を可能にするように適応される、ことを特徴とする命令。
【請求項２６】
請求項２５の一組の命令であって、前記指輪に割り当てられる少なくとも一つの色が、前記制御手段によって表される少なくとも一つの金属に対応する、ことを特徴とする命令。
【請求項２７】
請求項１１ないし２６のうちいずれか一つの一組の命令であって、前記方法が、前記選択および／または調整によって特定される前記指輪の算出されたコストを表す数値を表示するステップを含む、ことを特徴とする命令。
【請求項２８】
請求項１１ないし２７のうちいずれか一つの一組の命令であって、前記方法が、報告書を生成するステップを含み、前記報告書が、前記ユーザ制御手段によってなされる任意の選択および／または調整を特定する詳細を含む、ことを特徴とする命令。
【請求項２９】
請求項２８の一組の命令であって、前記報告書がさらに、前記三次元表現の収集された二次元イメージを含む、ことを特徴とする命令。
【請求項３０】
請求項２８または請求項２９の一組の命令であって、前記報告書が、前記所定の仕様を参照して算出される金銭的な値を含む、ことを特徴とする命令。
【請求項３１】
請求項２８ないし３０のうちいずれか一つの一組の命令であって、前記報告書が、前記第１のオブジェクトに伴う前記人を識別する詳細を含む、ことを特徴とする命令。
【請求項３２】
請求項１１ないし３１のうちいずれか一つの一組の命令であって、前記ユーザ制御手段が、宝飾品指輪帯のスタイルの選択を可能にするように適応される、ことを特徴とする命令。
【請求項３３】
請求項１１ないし３２のうちいずれか一つの一組の命令であって、前記ユーザ制御手段が、宝飾品指輪宝石設定のスタイルの選択を可能にするように適応される、ことを特徴とする命令。
【請求項３４】
請求項３３の一組の命令であって、前記ユーザ制御手段が、前記設定に対する少なくとも一つの宝石の選択を可能にするように適応される、ことを特徴とする命令。
【請求項３５】
請求項１１ないし３４のうちいずれか一つの一組の命令であって、前記ユーザ制御手段が、前記帯にセットされるべき宝石の選択を可能にするように適応される、ことを特徴とする命令。
【請求項３６】
請求項１１ないし３５のうちいずれか一つの一組の命令であって、前記ユーザ制御手段が、宝飾品指輪帯のスタイルの選択を可能にするように適応される、ことを特徴とする命令。
【請求項３７】
請求項１１ないし３６のうちいずれか一つの一組の命令であって、前記方法が、宝石の所定のカットの選択を可能にするように適応されるユーザ制御手段を提供するステップを含む、ことを特徴とする命令。
【請求項３８】
請求項１１ないし３７のうちいずれか一つの一組の命令であって、前記方法が、宝石の分類の選択を可能にするように適応される制御手段を含む、ことを特徴とする命令。
【請求項３９】
請求項１１ないし３８のうちいずれか一つの一組の命令であって、前記生成された三次元表現が、所定の色の少なくとも一つの宝石の表現を含む、ことを特徴とする命令。
【請求項４０】
請求項３７の一組の命令であって、前記方法が、前記少なくとも一つの宝石の前記色の選択を可能にするように適応される制御手段を与えるステップを含む、ことを特徴とする命令。
【請求項４１】
請求項４０の一組の命令であって、前記制御手段が、各色によって表される宝石のテキスト表現を提供する、ことを特徴とする命令。
【請求項４２】
請求項１１ないし４１のうちいずれか一つの一組の命令であって、前記生成された三次元表現が、所定の寸法の宝石の表現を含む、ことを特徴とする命令。
【請求項４３】
請求項１１ないし４２のうちいずれか一つの一組の命令であって、前記生成された三次元表現が、所定のカットの宝石を含む、ことを特徴とする命令。
【請求項４４】
請求項１１ないし４３のうちいずれか一つの一組の命令であって、前記方法が、少なくとも一つの宝石に対する重量の選択を可能にするように適応される制御手段を与えるステップを含む、ことを特徴とする命令。
【請求項４５】
請求項１１ないし４４のうちいずれか一つの一組の命令であって、前記方法が、前記手と関連する人の連絡先詳細を受け取るように適応される制御手段を与えるステップを含む、ことを特徴とする命令。
【請求項４６】
請求項１１ないし４５のうちいずれか一つの一組の命令であって、前記方法が、スクリーン上に、
前記手と関連する人に対する連絡先情報を受け取り、
前記手の所定の指の選択を可能にし、かつ
指輪寸法の選択を可能にする、ように適応される制御手段の組合せ、を与えるステップを含む、ことを特徴とする命令。
【請求項４７】
請求項１ないし４６のうちいずれか一つの一組の命令であって、前記方法が、オブジェクトの三次元表現を収集する装置を起動するように適応される制御手段を与えるステップを含む、ことを特徴とする命令。
【請求項４８】
計算機可読の媒体に格納される一組のコンピュータ実行可能命令であって、前記命令が、実質的に本願明細書において、添付の図面を参照して図と共に説明されるような方法を実施するよう適応される、命令。
【国際調査報告】
2010506329.tif 000018
2010506329.tif 000019
2010506329.tif 000020
2010506329.tif 000021